(57)【要約】【課題】巻取紙の仕立て前作業を容易に行うことができる巻取紙仕立装置を提供する。【解決手段】巻取紙１００の両端側方側の外装紙部分のみを取り除いた後、巻取紙１００を巻取紙支持装置１の巻取紙支持アーム１ａで支持して所定の位置にセットし、カッタ４２を外装紙１００ａに当接させて噴霧ノズル４５から水を噴霧しながら巻取紙１００の幅方向に沿って移動させることにより、外装紙１００ａ及び巻取紙１００を幅方向に沿って切断すると共に、切断された外装紙１００ａ及び巻取紙１００の切り口側を反り返らせずに、上方側を巻取紙１００の外周面に添え付かせるようにして、テーブル１４とクランプバー１７との間に確実に入り込ませるようにした。【選択図】図３
2007290860.tif 000002
【特許請求の範囲】
【請求項１】
ウエブを巻いた巻取紙の始端側を仕立てる巻取紙仕立装置であって、
前記巻取紙を包む外装紙に当該巻取紙の幅方向に沿って液体を付着させる液体付着手段と、
前記外装紙の前記液体の付着部分及び前記巻取紙を当該巻取紙の幅方向に沿って切断する切断手段と
を備えたことを特徴とする巻取紙仕立装置。
【請求項２】
請求項１において、
前記巻取紙の回転によって、前記外装紙及び前記巻取紙の前記切り口側を、前記切断手段によって切断されていない当該巻取紙の外周面から剥離させる剥離手段を備えている
ことを特徴とする巻取紙仕立装置。
【請求項３】
請求項２において、
前記切断手段によって切断されていない前記巻取紙の外周面から剥離された前記外装紙及び前記巻取紙の前記切り口側を保持するウエブ保持手段を備えている
ことを特徴とする巻取紙仕立装置。
【請求項４】
請求項１において、
前記液体付着手段が、
水を噴霧する噴霧ノズルと、
前記噴霧ノズルに水を送給する水送給装置と
を備えていることを特徴とする巻取紙仕立装置。
【請求項５】
請求項１において、
前記液体付着手段が、前記巻取紙の幅方向に沿って移動可能である
ことを特徴とする巻取紙仕立装置。
【請求項６】
請求項５において、
前記液体付着手段による前記外装紙への前記液体の付着停止時期を検出する液体付着停止時期検出手段と、
前記液体付着停止時期検出手段からの信号に基づいて、前記外装紙への液体の付着を停止させるように前記液体付着手段を制御する制御手段と
を備えていることを特徴とする巻取紙仕立装置。
【請求項７】
請求項６において、
前記液体付着停止時期検出手段が、前記巻取紙の幅方向の縁端部を検出する縁端検出手段である
ことを特徴とする巻取紙仕立装置。
【請求項８】
請求項１において、
前記切断手段を前記巻取紙の幅方向に沿って移動させる移動手段を備えている
ことを特徴とする巻取紙仕立装置。
【請求項９】
請求項８において、
前記巻取紙の前記ウエブ間に入り込むガイド部材を備えている
ことを特徴とする巻取紙仕立装置。
【請求項１０】
請求項８において、
前記外装紙を押さえる押圧部材を備えている
ことを特徴とする巻取紙仕立装置。
【請求項１１】
請求項１０において、
前記押圧部材が、前記切断手段に支持されている
ことを特徴とする巻取紙仕立装置。
【請求項１２】
請求項１１において、
前記押圧部材が、前記切断手段の、前記移動手段による移動方向下流側に設けられている
ことを特徴とする巻取紙仕立装置。
【請求項１３】
請求項８において、
前記液体付着手段が、前記切断手段に支持されている
ことを特徴とする巻取紙仕立装置。
【請求項１４】
請求項１３において、
前記液体付着手段が、前記切断手段の、前記移動手段による移動方向下流側に設けられている
ことを特徴とする巻取紙仕立装置。
【請求項１５】
請求項８において、
前記切断手段を前記巻取紙の幅方向に沿って移動させるように前記移動手段を制御すると共に、前記外装紙に液体を付着させるように前記液体付着手段を制御する制御手段を備えている
ことを特徴とする巻取紙仕立装置。
【請求項１６】
請求項１において、
前記切断手段を、前記巻取紙及び前記外装紙を切断する作動位置と当該作動位置から離反した退避位置との間で移動させる接近離反手段を備えている
ことを特徴とする巻取紙仕立装置。
【請求項１７】
請求項１６において、
前記切断手段が前記作動位置に位置したときに前記液体付着手段を前記外装紙へ対向させるように当該液体付着手段が当該切断手段に支持されている
ことを特徴とする巻取紙仕立装置。
【請求項１８】
請求項１６において、
前記外装紙に対する前記切断手段の位置を検出する切断位置検出手段と、
前記切断位置検出手段からの信号に基づいて、前記切断手段を前記作動位置に位置させるように前記接近離反手段を制御する制御手段と
を備えていることを特徴とする巻取紙仕立装置。
【請求項１９】
請求項１８において、
前記切断位置検出手段が、前記外装紙との距離を計測する距離計測手段である
ことを特徴とする巻取紙仕立装置。
【請求項２０】
請求項１９において、
前記切断手段を前記巻取紙の幅方向に沿って移動させる移動手段を備えると共に、
前記制御手段が、前記距離計測手段からの信号に基づいて、前記切断手段を前記外装紙に当接させるように前記接近離反手段を制御した後に、前記切断手段を前記巻取紙の幅方向に沿って移動させるように前記移動手段を制御するものである
ことを特徴とする巻取紙仕立装置。
【発明の詳細な説明】
【技術分野】
【０００１】
本発明は、ウエブを巻いた巻取紙の始端側を仕立てる巻取紙仕立装置に関する。
【背景技術】
【０００２】
ウエブに印刷を行う輪転印刷機などでは、ウエブを巻いた巻取紙が小径となったら、送給中の巻取紙に新たな巻取紙の始端を接着継ぎすると共に送給中の巻取紙を途中で切断することにより、送給する巻取紙を切り換えてウエブを継続して供給することができるようにするため、新たに継ぎ足す巻取紙の始端を接着継ぎできるように仕立てる巻取紙仕立装置を備えている。
【０００３】
【特許文献１】特開平１０−１５７８９２号公報
【発明の開示】
【発明が解決しようとする課題】
【０００４】
前述したような巻取紙仕立装置を用いて巻取紙の仕立て作業を行う場合には、巻取紙を包んでいる外装紙を当該巻取紙から作業員がすべて取り除いてから、当該巻取紙を支持装置に取り付けているため、仕立て前作業に手間がかかってしまい、作業効率が非常に悪かった。
【０００５】
このようなことから、本発明は、巻取紙の仕立て前作業を容易に行うことができる巻取紙仕立装置を提供することを目的とする。
【課題を解決するための手段】
【０００６】
前述した課題を解決するための、本発明に係る巻取紙仕立装置は、ウエブを巻いた巻取紙の始端側を仕立てる巻取紙仕立装置であって、前記巻取紙を包む外装紙に当該巻取紙の幅方向に沿って液体を付着させる液体付着手段と、前記外装紙の前記液体の付着部分及び前記巻取紙を当該巻取紙の幅方向に沿って切断する切断手段とを備えたことを特徴とする。
【０００７】
また、本発明に係る巻取紙仕立装置は、上述した巻取紙仕立装置において、前記巻取紙の回転によって、前記外装紙及び前記巻取紙の前記切り口側を、前記切断手段によって切断されていない当該巻取紙の外周面から剥離させる剥離手段を備えていることを特徴とする。
【０００８】
また、本発明に係る巻取紙仕立装置は、上述した巻取紙仕立装置において、前記切断手段によって切断されていない前記巻取紙の外周面から剥離された前記外装紙及び前記巻取紙の前記切り口側を保持するウエブ保持手段を備えていることを特徴とする。
【０００９】
また、本発明に係る巻取紙仕立装置は、上述した巻取紙仕立装置において、前記液体付着手段が、水を噴霧する噴霧ノズルと、前記噴霧ノズルに水を送給する水送給装置とを備えていることを特徴とする。
【００１０】
また、本発明に係る巻取紙仕立装置は、上述した巻取紙仕立装置において、前記液体付着手段が、前記巻取紙の幅方向に沿って移動可能であることを特徴とする。
【００１１】
また、本発明に係る巻取紙仕立装置は、上述した巻取紙仕立装置において、前記液体付着手段による前記外装紙への前記液体の付着停止時期を検出する液体付着停止時期検出手段と、前記液体付着停止時期検出手段からの信号に基づいて、前記外装紙への液体の付着を停止させるように前記液体付着手段を制御する制御手段とを備えていることを特徴とする。
【００１２】
また、本発明に係る巻取紙仕立装置は、上述した巻取紙仕立装置において、前記液体付着停止時期検出手段が、前記巻取紙の幅方向の縁端部を検出する縁端検出手段であることを特徴とする。
【００１３】
また、本発明に係る巻取紙仕立装置は、上述した巻取紙仕立装置において、前記切断手段を前記巻取紙の幅方向に沿って移動させる移動手段を備えていることを特徴とする。
【００１４】
また、本発明に係る巻取紙仕立装置は、上述した巻取紙仕立装置において、前記巻取紙の前記ウエブ間に入り込むガイド部材を備えていることを特徴とする。
【００１５】
また、本発明に係る巻取紙仕立装置は、上述した巻取紙仕立装置において、前記外装紙を押さえる押圧部材を備えていることを特徴とする。
【００１６】
また、本発明に係る巻取紙仕立装置は、上述した巻取紙仕立装置において、前記押圧部材が、前記切断手段に支持されていることを特徴とする。
【００１７】
また、本発明に係る巻取紙仕立装置は、上述した巻取紙仕立装置において、前記押圧部材が、前記切断手段の、前記移動手段による移動方向下流側に設けられていることを特徴とする。
【００１８】
また、本発明に係る巻取紙仕立装置は、上述した巻取紙仕立装置において、前記液体付着手段が、前記切断手段に支持されていることを特徴とする。
【００１９】
また、本発明に係る巻取紙仕立装置は、上述した巻取紙仕立装置において、前記液体付着手段が、前記切断手段の、前記移動手段による移動方向下流側に設けられていることを特徴とする。
【００２０】
また、本発明に係る巻取紙仕立装置は、上述した巻取紙仕立装置において、前記切断手段を前記巻取紙の幅方向に沿って移動させるように前記移動手段を制御すると共に、前記外装紙に液体を付着させるように前記液体付着手段を制御する制御手段を備えていることを特徴とする。
【００２１】
また、本発明に係る巻取紙仕立装置は、上述した巻取紙仕立装置において、前記切断手段を、前記巻取紙及び前記外装紙を切断する作動位置と当該作動位置から離反した退避位置との間で移動させる接近離反手段を備えていることを特徴とする。
【００２２】
また、本発明に係る巻取紙仕立装置は、上述した巻取紙仕立装置において、前記切断手段が前記作動位置に位置したときに前記液体付着手段を前記外装紙へ対向させるように当該液体付着手段が当該切断手段に支持されていることを特徴とする。
【００２３】
また、本発明に係る巻取紙仕立装置は、上述した巻取紙仕立装置において、前記外装紙に対する前記切断手段の位置を検出する切断位置検出手段と、前記切断位置検出手段からの信号に基づいて、前記切断手段を前記作動位置に位置させるように前記接近離反手段を制御する制御手段とを備えていることを特徴とする。
【００２４】
また、本発明に係る巻取紙仕立装置は、上述した巻取紙仕立装置において、前記切断位置検出手段が、前記外装紙との距離を計測する距離計測手段であることを特徴とする。
【００２５】
また、本発明に係る巻取紙仕立装置は、上述した巻取紙仕立装置において、前記切断手段を前記巻取紙の幅方向に沿って移動させる移動手段を備えると共に、前記制御手段が、前記距離計測手段からの信号に基づいて、前記切断手段を前記外装紙に当接させるように前記接近離反手段を制御した後に、前記切断手段を前記巻取紙の幅方向に沿って移動させるように前記移動手段を制御するものであることを特徴とする。
【発明の効果】
【００２６】
本発明に係る巻取紙仕立装置によれば、外装紙の一部（両端側面部）を取り除くだけで巻取紙の仕立作業を行うことができるので、仕立て前作業を大幅に簡略化して容易化を図ることができ、作業効率を向上させることができる。
【発明を実施するための最良の形態】
【００２７】
本発明に係る巻取紙仕立装置の実施形態を図１〜５に基づいて説明する。図１は、巻取紙仕立装置の概略構造を表す側面図、図２は、図１の矢線II部の平面図、図３は、図１の矢線 III部の平面図、図４は、図１の巻取紙仕立装置の要部の制御系ブロック図、図５は、図１の巻取紙仕立装置の作用説明図である。
【００２８】
図１において、１は巻取紙支持装置、１ａは巻取紙支持アーム、２は固定フレーム、３は作業台、４は始端加工装置、５は排紙箱、１００はウエブを巻いた巻取紙、１００ａは巻取紙１００の外周面を包む外装紙である。巻取紙支持装置１に対をなして設けられた巻取紙支持アーム１ａは、その両端側が、巻取紙１００を駆動回転可能に支持すると共に、その中程が、当該巻取紙１００を所定の位置にセットできるように回動可能となっている。
【００２９】
前記固定フレーム２は、巻取紙支持装置１の上方の巻取紙支持アーム１ａ先端側に配設されている。作業台３は、固定フレーム２に支持され、巻取紙１００からのウエブを吸引保持できるようにその表面に図示しない吸引孔が多数形成されている。始端加工装置４は、固定フレーム２に支持され、作業台３に吸引保持された巻取紙１００からのウエブの始端に仕立作業を自動的に行うようになっている。排紙箱５は、作業台３上で仕立てられて不要となった紙を受け入れることができるようになっている。
【００３０】
図１，２に示すように、前記固定フレーム２には、対をなすアーム１１の基端側が回動可能にそれぞれ支持されており、当該アーム１１は、その先端側が、巻取紙支持装置１の巻取紙支持アーム１ａの回動により所定の位置にセットされた上方の巻取紙１００の軸心位置よりも下方位置の当該巻取紙１００の外周面の前記外装紙１００ａの近傍と、作業台３の近傍との間を往復移動することができるようになっている。上記固定フレーム２には、上記アーム１１の先端を作業台３の上記近傍位置の所定箇所に位置決め停止させるストッパ１２が取り付けられている。上記アーム１１の基端には、当該アーム１１を同期して回動させる駆動モータ１３がそれぞれ連結されている。
【００３１】
上記アーム１１間の先端側には、作業台３と連絡するテーブル１４が配設されており、当該テーブル１４は、その基端寄りが当該アーム１１の先端に回動可能に軸支されている。テーブル１４の基端には、上記アーム１１の先端が前記所定の位置にセットされた上方の巻取紙１００の外周面の前記外装紙１００ａの近傍に位置した際に、当該巻取紙１００の軸心位置よりも下方で当該巻取紙１００の外周面の当該外装紙１００ａに当接するスクレーパ１５が突設されており、当該スクレーパ１５は、ゴムや樹脂などのような弾性を有する材料からなると共にその先端が曲折されている。
【００３２】
前記テーブル１４の背面１４ｂの上記アーム１１寄りの側端近傍には、伸縮可能なロッド１６ａを当該テーブル１４の受面１４ａ側へ突出させたエアシリンダ１６がそれぞれ設けられている。これらエアシリンダ１６のロッド１６ａの先端間には、クランプバー１７が配設されており、当該クランプバー１７は、その端部が上記ロッド１６ａの先端に支持されている。テーブル１４の他端寄り、すなわち、作業台３との連絡端寄りには、巻取紙１００の前記ウエブの端部を検出する端部検出センサ１８が設けられている。
【００３３】
前記アーム１１の先端側には、当該アーム１１がストッパ１２と当接する位置、すなわち、テーブル１４を作業台３に連絡させる連絡位置に配備した際に、当該テーブル１４の受面１４ａと作業台３の上面とを略面一にするように当該テーブル１４を位置決め支持するストッパ１９が取り付けられている。また、前記固定フレーム２には、上記アーム１１がストッパ１２と当接する位置、すなわち、テーブル１４を作業台３に連絡させる連絡位置に配備した際に、当該テーブル１４の受面１４ａと当接するローラ２０が回転可能に支持されており、当該ローラ２０は、駆動モータ２１により回転駆動されるようになっている。
【００３４】
なお、本実施の形態では、スクレーパ１５等により剥離手段を構成し、テーブル１４、エアシリンダ１６、クランプバー１７等によりウエブ保持手段を構成し、アーム１１、ストッパ１２，１９、駆動モータ１３等によりウエブ移動手段を構成している。
【００３５】
一方、図１，３に示すように、前記固定フレーム２の作業台３の下方側には、前記所定の位置にセットされた巻取紙１００及び外装紙１００ａを幅方向にわたって切断する切断装置３０が当該外装紙１００ａに対して接近離反できるように移動可能に設けられており、当該切断装置３０は、以下のような構造となっている。
【００３６】
図１，３に示すように、前記固定フレーム２の作業台３の下方側にそれぞれ形成されたスライド溝２ａには、スライドブロック３１がそれぞれスライド移動可能に取り付けられている。これらスライドブロック３１の前記固定フレーム２の対向方向内側には、スライドプレート３２がそれぞれ取り付けられている。これらスライドプレート３２間には、支持ビーム３３〜３５が前記所定の位置にセットされた巻取紙１００の幅方向に沿って長手方向を向けるようにしてそれぞれ取り付けられている。
【００３７】
前記支持ビーム３４，３５には、移動ブロック３６が当該支持ビーム３４，３５の長手方向に沿って移動できるように取り付けられている。この移動ブロック３６は、上記スライドプレート３２間に回転可能に支持されたねじ軸３７に螺合している。一方のスライドプレート３２には、正逆転可能な駆動モータ３８が取り付けられている。この駆動モータ３８の駆動軸に取り付けられたかさ歯車３９は、上記ねじ軸３７に同軸をなして設けられたかさ歯車４０に噛合している。
【００３８】
つまり、前記駆動モータ３８を駆動させると、かさ歯車３９，４０を介してねじ軸３７が回転し、当該ねじ軸３７に螺合する移動ブロック３６が支持ビーム３４，３５に沿って往復移動することができるようになっているのである。
【００３９】
また、前記所定の位置にセットされた巻取紙１００の外周面の外装紙１００ａ側（先端側）に位置する支持ビーム３３には、カッタケース４１が当該支持ビーム３３に沿ってスライド移動できるように取り付けられている。カッタケース４１の基端側は、前記移動ブロック３６に連結されている。つまり、前記駆動モータ３８を駆動させることにより、移動ブロック３６の上述した移動に伴って、カッタケース４１を支持ビーム３３に沿って往復移動させることができるようになっているのである。
【００４０】
前記カッタケース４１の先端側の他方のスライドプレート３２寄り（移動方向下流側）には、前記所定の位置にセットされた上方の巻取紙１００の外周面の外装紙１００ａを押さえる押圧部材４３が取り付けられている。カッタケース４１の先端側の一方のスライドプレート３２寄り（移動方向上流側）には、前記所定の位置にセットされた巻取紙１００の巻かれているウエブ間に入り込むガイド部材４４が取り付けられている。カッタケース４１の先端側と上記ガイド部材４４との間には、カッタ４２が回転可能に設けられている。
【００４１】
前記カッタケース４１の他方のスライドプレート３２側の端面には、前記所定の位置にセットされた巻取紙１００の外周面の外装紙１００ａへ向けて液体である水を噴霧して付着させる噴霧ノズル４５が取り付けられている。この噴霧ノズル４５は、水を送給する図示しない水送給装置に接続している。
【００４２】
また、前記固定フレーム２の間には、伝動軸４６が回転可能に支持されている。当該固定フレーム２の対向方向外側に突出する伝動軸４６の端部には、プーリ４７が同軸をなしてそれぞれ取り付けられている。当該固定フレーム２の対向方向外側の先端寄りには、プーリ４８が回転可能にそれぞれ設けられている。上記プーリ４７，４８間には、ベルト４９がそれぞれ掛け渡されている。上記ベルト４９には、前記スライドブロック３１がそれぞれ固定されている。一方の前記固定フレーム２側のプーリ４７には、当該固定フレーム２に支持された正逆回転可能なエアモータ５０の駆動軸が同軸をなして連結されている。
【００４３】
つまり、前記エアモータ５０を駆動させることにより、プーリ４７，４８が回転してベルト４９が移動し、スライドブロック３１が前記固定フレーム２のスライド溝２ａに沿ってスライド移動し、カッタケース４１を巻取紙１００の外周面の外装紙１００ａに対して接近離反させることができると共に、当該カッタケース４１を巻取紙１００の外周面の外装紙１００ａに対して接近させたときに前記噴霧ノズル４５を当該巻取紙１００の外周面の当該外装紙１００ａへ対向させることができるようになっているのである。
【００４４】
また、前記支持ビーム３５には、前記所定の位置にセットされた巻取紙１００の外周面の外装紙１００ａに対する前記カッタ４２の位置を検出する切断位置検出手段、すなわち、前記外装紙１００ａとの距離を計測する距離計測手段である距離計測センサ６１が取り付けられている。カッタケース４１には、前記噴霧ノズル４５からの前記外装紙１００ａへの水の噴霧停止時期を検出する液体付着停止時期検出手段、すなわち、前記所定の位置にセットされた巻取紙１００の幅方向の縁端部を検出する縁端検出手段である縁端検出センサ６２がブラケット４１ａを介して取り付けられている。
【００４５】
図４に示すように、上記距離計測センサ６１、上記縁端検出センサ６２、前記端部検出センサ１８は、制御手段である制御装置６０の入力部にそれぞれ電気的に接続されている。また、この制御装置６０の入力部には、作動開始スイッチ６０ａ及びタイマ６３が電気的に接続されている。制御装置６０の出力部には、前記駆動モータ３８、前記エアモータ５０、前記水送給装置の開閉弁５１、前記駆動モータ１３、前記エアシリンダ１６、前記駆動モータ２１、前記巻取紙支持アーム１ａに支持された巻取紙１００及び外装紙１００ａを駆動回転させる駆動モータ１ａａがそれぞれ電気的に接続されており、当該制御装置６０は、上記センサ１８，６１，６２、前記作動開始スイッチ６０ａ、前記タイマ６３等からの信号に基づいて、上記モータ１ａａ，１３，２１，３８，５０、前記エアシリンダ１６、前記水送給装置の前記開閉弁５１の作動を制御するようになっている（詳細は後述する。）。
【００４６】
なお、本実施の形態では、カッタケース４１、カッタ４２等により切断手段を構成し、スライドブロック３１、スライドプレート３２、支持ビーム３３、伝動軸４６、プーリ４７，４８、ベルト４９、エアモータ５０等により接近離反手段を構成し、支持ビーム３４，３５、移動ブロック３６、ねじ軸３７、駆動モータ３８、かさ歯車３９，４０等により移動手段を構成し、噴霧ノズル４５、前記開閉弁５１を備えた前記水送給装置等により液体付着手段を構成している。
【００４７】
このようにして構成された巻取紙仕立装置の作動を次に説明する。
【００４８】
巻取紙１００の両端側方側の外装紙部分のみを取り除いた後、当該巻取紙１００を巻取紙支持装置１の巻取紙支持アーム１ａで支持して当該アーム１ａを回動させることにより巻取紙１００を所定の位置にセットし、前記作動開始スイッチ６０ａをＯＮにすると、当該制御装置６０は、前記距離計測センサ６１からの信号に基づいて、カッタケース４１の先端側の押圧部材４３を巻取紙１００の外周面の外装紙１００ａに当接させると共に前記噴霧ノズル４５を当該巻取紙１００の外周面の当該外装紙１００ａへ対向させるように前記エアモータ５０を駆動させて上記カッタケース４１を作動位置に移動させる。
【００４９】
前記カッタケース４１が上記作動位置に位置すると、前記制御装置６０は、駆動モータ３８を作動して、一方のスライドプレート３２側から他方のスライドプレート３２側へカッタケース４１をスライド移動させるようにねじ軸３７を回転させると共に、噴霧ノズル４５から水を噴霧させるように前記水送給装置の前記開閉弁５１を開放させて、巻取紙１００の幅方向に沿って外装紙１００ａに水を噴霧する。
【００５０】
このカッタケース４１の移動により、ガイド部材４４が巻取紙１００のウエブ間（外装紙１００ａを含めて表面から数枚目の位置）に入り込むと共に、カッタ４２がカッタケース４１とガイド部材４４との間の巻取紙１００及び外装紙１００ａを幅方向に沿って切断する。
【００５１】
このとき、前記カッタ４２によって切断される外装紙１００ａ及び巻取紙１００の切り口側は、当該外装紙１００ａの種類等によっては生じてしまう乾燥等によって、図５Ａに示すように反り返ってしまうことがなく、上述したように水が噴霧されて湿潤しているので、図５Ｂに示すように、上方側が巻取紙１００の外周面に添え付く一方、下方側が重力により垂れ下がると共に、切断に伴って発生する切粉等が外装紙１００ａに吸着保持される。
【００５２】
そして、前記縁端検出センサ６２が巻取紙１００の他方のスライドプレート３２側の縁端部を検出すると、前記制御装置６０は、噴霧ノズル４５からの水の噴出を停止させるように前記水送給装置の開閉弁５１を閉鎖すると共に、前記タイマ６３からの情報に基づいて、巻取紙１００の縁端部検知所定時間後、すなわち、巻取紙１００及び外装紙１００ａの幅方向全長にわたる切断を終えた後、カッタケース４１を一方のスライドプレート３２側に戻すように駆動モータ３８を作動させる。
【００５３】
引き続き、前記制御装置６０は、カッタケース４１を外装紙１００ａ及び巻取紙１００の外周面から引き離すように前記エアモータ５０を作動してプーリ４７，４８、ベルト４９、スライドブロック３１を介してスライドプレート３２をスライド移動させて、当該カッタケース４１を上記作動位置から離反した退避位置へ移動させる。
【００５４】
次に、前記制御装置６０は、駆動モータ１３を作動させて、アーム１１の先端を上記巻取紙１００近傍に位置させるように当該アーム１１を回動させると（図１において、実線位置から二点鎖線位置）、この回動に伴って、テーブル１４が自重により受面１４ａを鉛直面に沿わせるように回動し、スクレーパ１５の先端が巻取紙１００の軸心位置よりも下方で巻取紙１００の外周面に当接する。
【００５５】
続いて、前記制御装置６０は、巻取紙支持装置１の前記駆動モータ１ａａを作動させて、巻取紙１００を回転させると、外装紙１００ａ及び巻取紙１００の切断された上方の切り口側の端部がスクレーパ１５により外周面から引き剥がされてテーブル１４の受面１４ａ上に案内され、テーブル１４の受面１４ａとクランプバー１７との間に入り込む。
【００５６】
前記制御装置６０は、端部検出センサ１８が外装紙１００ａ及び巻取紙１００の上記端部を検知すると、当該端部検出センサ１８での検知結果に基づいて、巻取紙１００の回転を停止させるように巻取紙支持装置１の前記駆動モータ１ａａの作動を停止させると共に、エアシリンダ１６のロッド１６ａを短縮させる。
【００５７】
これにより、巻取紙１００の送り出されたウエブ及び外装紙１００ａがクランプバー１７とテーブル１４の受面１４ａとで挾持されて保持される。
【００５８】
次に、前記制御装置６０は、駆動モータ１３を作動させて、アーム１１をストッパ１２に当接させるように回動させると（図１において、二点鎖線位置から実線位置）、当該回動に伴ってテーブル１４が回動し、テーブル１４の受面１４ａを作業台３の上面と略面一で連絡させるように当該テーブル１４をストッパ１９が支持すると共に、ローラ２０がテーブル１４の受面１４ａ上の外装紙１００ａに当接する。このアーム１１の回動の際、巻取紙１００から送り出されたウエブに一定の張力を与えるように、前記制御装置６０は、巻取紙支持装置１の前記駆動モータ１ａａを作動させて巻取紙１００を回転させてウエブを送り出している。
【００５９】
続いて、前記制御装置６０は、エアシリンダ１６のロッド１６ａを伸長させて、巻取紙１００から送り出されたウエブ及び外装紙１００ａをクランプバー１７による挾持から開放した後、巻取紙支持装置１の前記駆動モータ１ａａを作動させて巻取紙１００を回転させると共に、駆動モータ２１を作動させてローラ２０を回転させる。
【００６０】
これにより、切断された巻取紙１００及び外装紙１００ａがテーブル１４の受面１４ａ上から作業台３の上面を介して排紙箱５内に排紙されると共に、送り出された巻取紙１００の始端側がテーブル１４の受面１４ａ上に配設される。
【００６１】
巻取紙１００の始端側がテーブル１４の受面１４ａ上に所定長送り出されると、当該巻取紙１００の始端側は、作業台３の前記吸引孔からの吸引で当該作業台３に保持され、前記始端仕立装置４で仕立て作業、すなわち、巻取紙１００の始端側の切断作業、両面粘着テープの貼付作業、タブの貼付作業等が施された後、上述した作動と逆の作動により巻き戻され、タブにより外周面に仮止めされて仕立作業が終了する。
【００６２】
したがって、このような巻取紙仕立装置によれば、以下のような効果を得ることができる。
【００６３】
（１）外装紙の一部（両端側面部）を取り除くだけで巻取紙１００の仕立作業を行うことができるので、仕立て前作業を大幅に簡略化して容易化を図ることができ、作業効率を向上させることができる。
【００６４】
（２）距離計測センサ５１からの信号に基づいて、巻取紙１００の外周面の外装紙１００ａとカッタケース４１との距離を確認しながら巻取紙１００の外周面の外装紙１００ａにカッタケース４１を接近させるようにしたので、どのような径サイズの巻取紙１００であっても、巻取紙１００及び外装紙１００ａを確実に切断することができる。
【００６５】
（３）カッタ４２が巻取紙１００及び外装紙１００ａを切断する際に押圧部材４３が巻取紙１００の外周面の外装紙１００ａを押さえるので、外装紙１００ａ及び巻取紙１００を確実に切断することができる。
【００６６】
（４）巻取紙１００のウエブ間にガイド部材４４を差し込んで、カッタケース４１とガイド部材４４との間の外装紙１００ａ及びウエブをカッタ４２で切断するようにしたので、外装紙１００ａと共に切断するウエブの枚数を幅方向にわたって一様にすることができる。このため、巻取紙１００のウエブの始端側をテーブル１４の受面１４ａ上に所定長送り出したときに、一部のみ切断されたウエブがテーブル１４の受面１４ａ上に残るようなことがないので、一部のみ切断されたウエブを仕立作業に先立って取り除くようなことはしなくて済み、作業効率の向上を図ることができる。
【００６７】
（５）外装紙１００ａに噴霧ノズル４５から水を噴霧して外装紙１００ａを湿潤させるようにしたことから、切断された外装紙１００ａ及び巻取紙１００の切り口側を反り返らせずに、上方側を巻取紙１００の外周面に添え付かせることができる一方、下方側を重力により垂れ下げることができると共に、切断に伴って発生する切粉等を外装紙１００ａに吸着保持することができる。このため、切断された巻取紙１００及び外装紙１００ａの切り口の上方側をテーブル１４の受面１４ａとクランプバー１７との間に確実に入り込ませることができるので、巻取紙１００の送り出されたウエブ及び外装紙１００ａをクランプバー１７とテーブル１４の受面１４ａとで確実に挾持して保持することができ、作業台３にまで確実に搬送することができると共に、前記切粉等を周囲に飛散させることなく外装紙１００ａと共に回収することができる。
【００６８】
（６）カッタ４２で巻取紙１００及び外装紙１００ａを切断する前に外装紙１００ａに噴霧ノズル４５から水を噴霧するようにしたので、巻取紙１００を濡らすことなく外装紙１００ａのみを湿潤させることができる。
【００６９】
なお、本実施形態では、カッタケース４１に噴霧ノズル４５を取り付けて、カッタ４２と共に巻取紙１００の幅方向に沿って移動させながら外装紙１００ａに水を噴霧して濡らすようにしたが、他の実施形態として、例えば、カッタ４２の巻取紙１００の幅方向への移動機構とは別の移動機構により、噴霧ノズル４５を巻取紙１００の幅方向に沿って移動させるようにすることや、噴霧ノズル４５を巻取紙１００の幅方向にわたって所定の間隔で複数設けることにより、噴霧ノズル４５を巻取紙１００の幅方向に沿って移動させることなく外装紙１００ａを巻取紙１００の幅方向にわたって湿潤させたりすることも可能である。しかしながら、本実施形態のようにすれば、噴霧ノズル４５および移動機構が一つで済むようになるので、構造が簡単で済むと共に低コスト化を図ることができる。
【００７０】
また、本実施形態では、巻取紙１００の幅方向に沿ってカッタ４２を移動させることにより、巻取紙１００及び外装紙１００ａを切断するようにしたが、他の実施形態として、例えば、巻取紙１００の幅と同一の長さの刃部を有するカッタを巻取紙１００に接近させて押圧することにより、当該巻取紙１００及び外装紙１００ａを切断するようにすることも可能である。
【００７１】
また、上述した接近離反手段、移動手段、切断手段、水噴霧手段などは、上述した部材で構成されたものに限らず、同様な機能を有する他の部材で構成することも可能である。
【産業上の利用可能性】
【００７２】
本発明に係る巻取紙仕立装置は、仕立て前作業を大幅に簡略化して容易化を図ることができ、作業効率を向上させることができるので、印刷産業等において、極めて有益に利用することができる。
【図面の簡単な説明】
【００７３】
【図１】本発明に係る巻取紙仕立装置の実施形態の概略構造を表す側面図である。
【図２】図１の矢線II部の平面図である。
【図３】図１の矢線 III部の平面図である。
【図４】図１の巻取紙仕立装置の要部の制御系ブロック図である。
【図５】図１の巻取紙仕立装置の作用説明図である。
【符号の説明】
【００７４】
１  巻取紙支持装置
１ａ  巻取紙支持アーム
１ａａ  駆動モータ
２  フレーム
２ａ  スライド溝
３  作業台
４  始端加工装置
５  排紙箱
１１  アーム
１２  ストッパ
１３  駆動モータ
１４  テーブル
１４ａ  受面
１４ｂ  背面
１５  スクレーパ
１６  エアシリンダ
１６ａ  ロッド
１７  クランプバー
１８  端部検出センサ
１９  ストッパ
２０  ローラ
２１  駆動モータ
３０  切断装置
３１  スライドブロック
３２  スライドプレート
３３〜３５  支持ビーム
３６  移動ブロック
３７  ねじ軸
３８  駆動モータ
３９，４０  かさ歯車
４１  カッタケース
４２  カッタ
４３  押圧部材
４４  ガイドプレート
４５  噴霧ノズル
４６  伝動軸
４７，４８  プーリ
４９  ベルト
５０  エアモータ
５１  開閉弁
６０  制御装置
６０ａ  作動開始スイッチ
６１  距離計測センサ
６２  縁端検出センサ
６３  タイマ
１００  巻取紙
１００ａ  外装紙
【図１】
2007290860.tif 000003
【図２】
2007290860.tif 000004
【図３】
2007290860.tif 000005
【図４】
2007290860.tif 000006
【図５】
2007290860.tif 000007